(57)【要約】【課題】  同一の被写体を撮影して得られる動画と静止画との双方を最適なものにすることが可能なデジタルカメラを提供する。【解決手段】  デジタルカメラ１００は、動画撮影用の撮像部４と、静止画撮影用の撮像部５と、被写体を照明するための補助光を発光するストロボ９と、ストロボ９の発光動作を制御する発光制御機能、撮像部４及び撮像部５の露出を制御する露出制御機能を有するシステム制御部１２とを備え、システム制御部１２は、撮像部４による動画撮影中の撮像部５による静止画撮影時に、ストロボ９に対し補助光を発光させる制御を行う場合、その補助光の発光期間中の撮像部４の露出を、その補助光の発光が行われる直前の露出と同じになるように制御する。【選択図】  図１
2005268855.tif 000002
【特許請求の範囲】
【請求項１】
同一の被写体に対し動画撮影と静止画撮影とを同時に行うことが可能なデジタルカメラであって、
前記動画撮影用の第１の撮影手段と、
前記静止画撮影用の第２の撮影手段と、
前記被写体を照明するための補助光を発光する補助光発光手段と、
前記補助光発光手段の発光動作を制御する発光制御手段と、
前記第１の撮影手段及び第２の撮影手段の露出を制御する露出制御手段とを備え、
前記露出制御手段は、前記第１の撮影手段による前記動画撮影中の前記第２の撮影手段による前記静止画撮影時に、前記発光制御手段が前記補助光発光手段に前記補助光を発光させる制御を行う場合、前記補助光の発光期間中の前記第１の撮影手段の露出を、前記補助光の発光が行われる直前の露出と同じになるように制御するものであるデジタルカメラ。
【請求項２】
被写体を撮影する撮影手段と、
前記撮影により得られる画像データの記録媒体への記録制御を行う記録制御手段と、
前記被写体を照明するための補助光を発光する補助光発光手段と、
前記補助光発光手段の発光動作を制御する発光制御手段と、
前記撮影手段による動画撮影中に、前記発光制御手段の制御による前記補助光の発光が行われた場合、前記動画撮影により得られる複数の静止画像データのうち、当該補助光の発光期間中の静止画像データを、当該補助光の発光開始直前及び発光終了直後の少なくとも一方の前記動画撮影により得られた静止画像データを用いて生成された置換画像データで置換するデータ置換手段とを備え、
前記記録制御手段は、前記動画撮影中に前記発光制御手段の制御による前記補助光の発光が行われた場合、前記補助光の発光期間中の静止画像データと、前記データ置換手段によるデータ置換後の複数の静止画像データとを前記記録媒体に別々に記録させる制御を行うものであるデジタルカメラ。
【請求項３】
請求項２記載のデジタルカメラであって、
前記置換画像データは、前記補助光の発光開始直前及び発光終了直後の少なくとも一方の前記動画撮影により得られた静止画像データの複製であるデジタルカメラ。
【請求項４】
請求項３記載のデジタルカメラであって、
前記補助光の発光期間中の静止画像データが複数である場合、前記データ置換手段は、前記補助光の発光開始直前の前記動画撮影により得られた静止画像データの複製と、前記補助光の発光終了直後の前記動画撮影により得られた静止画像データの複製とを用いて前記置換を行うものであるデジタルカメラ。
【請求項５】
請求項４記載のデジタルカメラであって、
前記補助光の発光期間中の静止画像データが２つである場合、前記データ置換手段は、前記２つの静止画像データのうち先に撮影して得られた静止画像データを、前記補助光の発光開始直前の前記動画撮影により得られた静止画像データの複製で置換し、前記２つの静止画像データのうち後に撮影して得られた静止画像データを、前記補助光の発光開始直後に前記動画撮影により得られた静止画像データの複製で置換するものであるデジタルカメラ。
【請求項６】
請求項２記載のデジタルカメラであって、
前記置換画像データは、前記補助光の発光開始直前の前記動画撮影により得られた静止画像データと、前記補助光の発光終了直後の前記動画撮影により得られた静止画像データとの２つの静止画像データの補間画像データであるデジタルカメラ。
【請求項７】
被写体を撮影する撮影手段と、
前記撮影により得られる画像データの記録媒体への記録制御を行う記録制御手段と、
前記被写体を照明するための補助光を発光する補助光発光手段と、
前記補助光発光手段の発光動作を制御する発光制御手段と、
前記撮影手段による動画撮影中に前記発光制御手段の制御により前記補助光の発光が行われた場合、前記記録制御によって前記記録媒体に記録された前記動画撮影により得られる複数の静止画像データの中から、前記補助光の発光期間中の静止画像データを検索する検索手段とを備え、
前記記録制御手段は、前記動画撮影中に前記発光制御手段の制御により前記補助光の発光が行われた場合、前記検索手段により検索された静止画像データを、前記記録媒体に記録されている前記補助光の発光開始直前及び発光終了直後の少なくとも一方の前記動画撮影により得られた静止画像データを用いて生成される置換画像データで置換すると共に、前記検索手段により検索された静止画像データを、前記複数の静止画像データとは別にして前記記録媒体に記録させる制御を行うものであるデジタルカメラ。
【請求項８】
請求項７記載のデジタルカメラであって、
前記置換画像データは、前記補助光の発光開始直前及び発光終了直後の少なくとも一方の前記動画撮影により得られた静止画像データの複製であるデジタルカメラ。
【請求項９】
請求項８記載のデジタルカメラであって、
前記検索手段により検索された静止画像データが複数である場合、前記データ置換手段は、前記補助光の発光開始直前の前記動画撮影により得られた静止画像データの複製と、前記補助光の発光終了直後の前記動画撮影により得られた静止画像データの複製とを用いて前記置換を行うものであるデジタルカメラ。
【請求項１０】
請求項９記載のデジタルカメラであって、
前記検索手段により検索された静止画像データが２つである場合、前記データ置換手段は、前記２つの静止画像データのうち先に撮影して得られた静止画像データを、前記補助光の発光開始直前の前記動画撮影により得られた静止画像データの複製で置換し、前記２つの静止画像データのうち後に撮影して得られた静止画像データを、前記補助光の発光開始直後に前記動画撮影により得られた静止画像データの複製で置換するものであるデジタルカメラ。
【請求項１１】
請求項７記載のデジタルカメラであって、
前記置換画像データは、前記補助光の発光開始直前の前記動画撮影により得られた静止画像データと、前記補助光の発光終了直後の前記動画撮影により得られた静止画像データとの２つの静止画像データの補間画像データであるデジタルカメラ。
【請求項１２】
請求項２、３、６、７、８、又は１１記載のデジタルカメラであって、
前記発光制御手段は、前記動画撮影中に前記補助光発光手段に前記補助光を発光させる制御を行う場合、前記補助光の発光直後に前記撮影手段により行われる露光の終了時から次の露光開始時までの間に、前記補助光の発光を終了させる制御を行うものであるデジタルカメラ。
【発明の詳細な説明】
【技術分野】
【０００１】
本発明は、被写体を照明するための補助光を撮影時に発光する機能を持つデジタルカメラに関する。
【背景技術】
【０００２】
従来、同一の被写体に対し、静止画撮影と動画撮影とを同一の撮影光学系を利用して同時に撮影記録し得るように構成したデジタルカメラが知られている（特許文献１参照）。
【０００３】
【特許文献１】特開平７−２８４００５号公報
【発明の開示】
【発明が解決しようとする課題】
【０００４】
特許文献１記載のようなデジタルカメラでは、動画撮影中に静止画撮影を行う場合、その静止画撮影時に、被写体を照明するための補助光を発光するストロボにより補助光の発光を行うと、静止画撮影により得られる静止画像データについては最適なものが得られるが、動画撮影により得られる動画像データには補助光の影響による画質変化が現れてしまい最適なものが得られない。
【０００５】
本発明は、上記事情に鑑みて為されたものであり、同一の被写体を撮影して得られる動画と静止画との双方を高品質なものにすることが可能なデジタルカメラを提供することを目的とする。
【課題を解決するための手段】
【０００６】
本発明のデジタルカメラは、同一の被写体に対し動画撮影と静止画撮影とを同時に行うことが可能なデジタルカメラであって、前記動画撮影用の第１の撮影手段と、前記静止画撮影用の第２の撮影手段と、前記被写体を照明するための補助光を発光する補助光発光手段と、前記補助光発光手段の発光動作を制御する発光制御手段と、前記第１の撮影手段及び第２の撮影手段の露出を制御する露出制御手段とを備え、前記露出制御手段が、前記第１の撮影手段による前記動画撮影中の前記第２の撮影手段による前記静止画撮影時に、前記発光制御手段が前記補助光発光手段に前記補助光を発光させる制御を行う場合、前記補助光の発光期間中（補助光が動画撮影に影響を与えてしまう時間のこと、せいぜい２、３フレーム。これは発光制御手段であるＣＰＵが分かっている）の前記第１の撮影手段の露出を、前記補助光の発光が行われる直前の露出と同じになるように制御するものである。
【０００７】
この構成により、動画撮影と並行して静止画撮影を行い、その静止画撮影時に補助光の発光を行う場合、補助光の発光期間中の第１の撮影手段の露出が、補助光の発光開始直前の露出となるように制御するため、動画撮影により得られる動画像データに基づく動画は補助光の影響を考慮した最適な画像とすることができ、静止画撮影により得られる静止画像データに基づく静止画は、補助光により最適な画像とすることができる。
【０００８】
本発明のデジタルカメラは、被写体を撮影する撮影手段と、前記撮影により得られる画像データの記録媒体への記録制御を行う記録制御手段と、前記被写体を照明するための補助光を発光する補助光発光手段と、前記補助光発光手段の発光動作を制御する発光制御手段と、前記撮影手段による動画撮影中に、前記発光制御手段の制御による前記補助光の発光が行われた場合、前記動画撮影により得られる複数の静止画像データのうち、当該補助光の発光期間中の静止画像データを、当該補助光の発光開始直前及び発光終了直後の少なくとも一方の前記動画撮影により得られた静止画像データを用いて生成された置換画像データで置換するデータ置換手段とを備え、前記記録制御手段が、前記動画撮影中に前記発光制御手段の制御による前記補助光の発光が行われた場合、前記補助光の発光期間中の静止画像データと、前記データ置換手段によるデータ置換後の複数の静止画像データとを前記記録媒体に別々に記録させる制御を行うものである。
又、本発明のデジタルカメラは、前記置換画像データが、前記補助光の発光開始直前及び発光終了直後の少なくとも一方の前記動画撮影により得られた静止画像データの複製である。
【０００９】
上記において、動画撮影により得られる複数の静止画像データをその撮影順にＡ，Ｂ，Ｃ，Ｄ，Ｅ，Ｆ，Ｇとし、上記Ｄを、補助光の発光期間中の静止画像データとした場合、Ａ，Ｂ，Ｃ，Ｄ，Ｅ，Ｆ，Ｇからなる複数の静止画像データに基づく動画を再生すると、Ｄについては補助光の影響により他とは異なる画像が再生されるため、違和感のある動画となってしまう。ところが、上記構成によれば、例えば、ＤをＣ又はＥの複製で置換することで、Ａ，Ｂ，Ｃ，Ｄ，Ｅ，Ｆ，Ｇの全てが補助光なしの条件下で撮影されたものになるため、違和感の少ない動画とすることができる。又、記録媒体に記録されるＤに基づく静止画については、補助光の発光を行って撮影を行ったものであるため、最適な静止画とすることができる。
【００１０】
又、本発明のデジタルカメラは、前記補助光の発光期間中の静止画像データが複数である場合、前記データ置換手段が、前記補助光の発光開始直前の前記動画撮影により得られた静止画像データの複製と、前記補助光の発光終了直後の前記動画撮影により得られた静止画像データの複製とを用いて前記置換を行うものである。
又、本発明のデジタルカメラは、前記補助光の発光期間中の静止画像データが２つである場合、前記データ置換手段が、前記２つの静止画像データのうち先に撮影して得られた静止画像データを、前記補助光の発光開始直前の前記動画撮影により得られた静止画像データの複製で置換し、前記２つの静止画像データのうち後に撮影して得られた静止画像データを、前記補助光の発光開始直後に前記動画撮影により得られた静止画像データの複製で置換するものである。
【００１１】
例えば、上記ＣとＤを、補助光の発光期間中の静止画像データとし、データ置換手段によりＣとＤを共にＢで置換してしまうと、Ａ，Ｂ，Ｂ，Ｂ，Ｅ，Ｆ，ＧのようにＢが３回連続して再生されることになってしまい、違和感のある動画となってしまう。ところが上記構成によれば、ＣをＢの複製で置換し、ＤをＥの複製で置換するため、Ａ，Ｂ，Ｂ，Ｅ，Ｅ，Ｆ，Ｇのように同じ静止画像データが最高でも２回連続でしか再生されることがなくなり、上記違和感を軽減することができる。
【００１２】
又、本発明のデジタルカメラは、前記置換画像データが、前記補助光の発光開始直前の前記動画撮影により得られた静止画像データと、前記補助光の発光終了直後の前記動画撮影により得られた静止画像データとの２つの静止画像データの補間画像データである。
【００１３】
この構成により、補助光の発光期間中の静止画像データが補間画像データで置換されるため、記録媒体に記録される複数の静止画像データに基づく動画をより違和感の少ないものにすることができる。
【００１４】
本発明のデジタルカメラは、被写体を撮影する撮影手段と、前記撮影により得られる画像データの記録媒体への記録制御を行う記録制御手段と、前記被写体を照明するための補助光を発光する補助光発光手段と、前記補助光発光手段の発光動作を制御する発光制御手段と、前記撮影手段による動画撮影中に前記発光制御手段の制御により前記補助光の発光が行われた場合、前記記録制御によって前記記録媒体に記録された前記動画撮影により得られる複数の静止画像データの中から、前記補助光の発光期間中の静止画像データを検索する検索手段とを備え、前記記録制御手段は、前記動画撮影中に前記発光制御手段の制御により前記補助光の発光が行われた場合、前記検索手段により検索された静止画像データを、前記記録媒体に記録されている前記補助光の発光開始直前及び発光終了直後の少なくとも一方の前記動画撮影により得られた静止画像データを用いて生成される置換画像データで置換すると共に、前記検索手段により検索された静止画像データを、前記複数の静止画像データとは別にして前記記録媒体に記録させる制御を行うものである。
又、本発明のデジタルカメラは、前記置換画像データが、前記補助光の発光開始直前及び発光終了直後の少なくとも一方の前記動画撮影により得られた静止画像データの複製である。
【００１５】
上記において、動画撮影により得られて記録媒体に記録された複数の静止画像データをその撮影順にＡ，Ｂ，Ｃ，Ｄ，Ｅ，Ｆ，Ｇとし、Ｄを、補助光の発光期間中の静止画像データとした場合、Ａ，Ｂ，Ｃ，Ｄ，Ｅ，Ｆ，Ｇからなる複数の静止画像データに基づく動画を再生すると、Ｄについては補助光の影響により他とは異なる画像が再生されるため、違和感のある動画となってしまう。ところが、上記構成によれば、例えば、ＤをＣ又はＥの複製で置換することで、Ａ，Ｂ，Ｃ，Ｄ，Ｅ，Ｆ，Ｇの全てが補助光なしの条件下で撮影されたものになるため、違和感の少ない動画とすることができる。又、記録媒体に記録されるＤに基づく静止画については、補助光の発光を行って撮影を行ったものであるため、最適な静止画とすることができる。
【００１６】
又、本発明のデジタルカメラは、前記検索手段により検索された静止画像データが複数である場合、前記データ置換手段が、前記補助光の発光開始直前の前記動画撮影により得られた静止画像データの複製と、前記補助光の発光終了直後の前記動画撮影により得られた静止画像データの複製とを用いて前記置換を行うものである。
又、本発明のデジタルカメラは、前記検索手段により検索された静止画像データが２つである場合、前記データ置換手段が、前記２つの静止画像データのうち先に撮影して得られた静止画像データを、前記補助光の発光開始直前の前記動画撮影により得られた静止画像データの複製で置換し、前記２つの静止画像データのうち後に撮影して得られた静止画像データを、前記補助光の発光開始直後に前記動画撮影により得られた静止画像データの複製で置換するものである。
【００１７】
例えば、上記ＣとＤを、補助光の発光期間中の静止画像データとし、データ置換手段によりＣとＤを共にＢで置換してしまうと、Ａ，Ｂ，Ｂ，Ｂ，Ｅ，Ｆ，ＧのようにＢが３回連続して再生されることになってしまい、違和感のある動画となってしまう。ところが上記構成によれば、ＣをＢの複製で置換し、ＤをＥの複製で置換するため、Ａ，Ｂ，Ｂ，Ｅ，Ｅ，Ｆ，Ｇのように同じ静止画像データが最高でも２回連続でしか再生されることがなくなり、上記違和感を軽減することができる。
【００１８】
又、本発明のデジタルカメラは、前記置換画像データが、前記補助光の発光開始直前の前記動画撮影により得られた静止画像データと、前記補助光の発光終了直後の前記動画撮影により得られた静止画像データとの２つの静止画像データの補間画像データである。
【００１９】
この構成により、補助光の発光期間中の静止画像データが補間画像データに置換されるため、記録媒体に記録される複数の静止画像データに基づく動画をより違和感の少ないものにすることができる。
【００２０】
又、本発明のデジタルカメラは、前記発光制御手段が、前記動画撮影中に前記補助光発光手段に前記補助光を発光させる制御を行う場合、前記補助光の発光直後に前記撮影手段により行われる露光の終了時から次の露光開始時までの間に、前記補助光の発光を終了させる制御を行うものである。
【００２１】
この構成により、データ置換対象となる静止画像データを１つに抑えることができるため、記録媒体に記録される複数の静止画像データに基づく動画をより違和感の少ないものとすることができる。
【発明の効果】
【００２２】
本発明によれば、同一の被写体を撮影して得られる動画と静止画との双方を高品質なものにすることが可能なデジタルカメラを提供することができる。
【発明を実施するための最良の形態】
【００２３】
（第一実施形態）
図１は、本発明の第一実施形態を説明するためのデジタルカメラの概略構成を示す図である。
デジタルカメラ１００は、撮影レンズ１と、ハーフミラー２と、ミラー３と、撮像部４と、撮像部５と、アナログ信号処理部６と、Ａ／Ｄ変換部７と、駆動部８と、ストロボ９と、デジタル信号処理部１０と、圧縮／伸張処理部１１と、システム制御部１２と、内部メモリ１３と、メディアインタフェース１４と、記録メディア１５と、操作部１６とを備える。デジタル信号処理部１０、圧縮／伸張処理部１１、システム制御部１２、内部メモリ１３、及びメディアインタフェース１４は、システムバス２０に接続されている。
【００２４】
撮影レンズ１は、その位置が可変であり、駆動部８により駆動される。ハーフミラー２は、撮影レンズ１を透過した光を２分割し、一方の光を撮像部４に導き、他方の光をミラー３に導く。ミラー３は、ハーフミラー２で分割された上記他方の光の進行方向を９０度変えて、撮像部５に導く。このハーフミラー２及びミラー３により、撮像部４と撮像部５とで同一の被写体を同時に撮影することが可能となる。
【００２５】
撮像部４は、動画撮影を行うためのものであり、絞り、シャッタ、及びＣＣＤイメージセンサ等の撮像素子を備える。撮像部４は、撮像素子によって被写体の撮影を行い、アナログの撮像信号をアナログ信号処理部６に出力する。
【００２６】
撮像部５は、静止画撮影を行うためのものであり、絞り、シャッタ、及びＣＣＤイメージセンサ等の撮像素子を備える。撮像部５は、撮像素子によって被写体の撮影を行い、アナログの撮像信号をアナログ信号処理部６に出力する。
【００２７】
撮影に際しては、撮影レンズ１、撮像部４及び撮像部５の各々の絞り、シャッタ、及び撮像素子の制御が駆動部８を介して行われる。
【００２８】
ストロボ９は、被写体を照明するための補助光を発光するものである。
【００２９】
アナログ信号処理部６は、撮像部４で得られた撮像信号及び撮像部５で得られた撮像信号に所定のアナログ信号処理を施す。Ａ／Ｄ変換部７は、アナログ信号処理部６で処理後のアナログ信号をデジタル信号に変換する。Ａ／Ｄ変換部７の出力は、いわゆるＲＡＷ画像データとしてデジタル信号処理部１０に送られる。
【００３０】
デジタル信号処理部１０は、Ａ／Ｄ変換部７からのデジタル画像データに対して、操作部１６によって設定された動作モードに応じた所定のデジタル信号処理を行う。
【００３１】
圧縮／伸張処理部１１は、デジタル信号処理部１０で得られたＹ／Ｃデータに対して圧縮処理を施すとともに、記録メディア１５から得られた圧縮画像データに対して伸張処理を施す。
【００３２】
システム制御部１２は、所定のプログラムによって動作するプロセッサを主体に構成され、撮影動作を含むデジタルカメラ１００全体の制御を行う。
【００３３】
システム制御部１２は、撮像部４による動画撮影及び撮像部５による静止画撮影の撮影条件（例えば、撮影レンズ１のレンズ位置、絞りの絞り値、及びシャッタのシャッタ速度等）を、撮像部４及び撮像部５の各々の撮像素子から得られる画像信号を利用して設定し、設定した撮影条件により、撮影レンズ１の位置制御や撮像部４及び撮像部５の露出制御等を行う。
【００３４】
システム制御部１２は、撮像部４による動画撮影中の撮像部５による静止画撮影時に、ストロボ９に対して補助光を発光させる制御を行う場合、ストロボ９による補助光の発光期間中の撮像部４の露出を、当該補助光の発光が行われる直前の露出と同じになるように制御する。ストロボ９による補助光の発光期間とは、補助光の発光が開始されてから、その補助光の発光強度が撮像部４による動画撮影で得られる画像データに影響を及ぼさない程度の発光強度になるまでの期間のことを示す。この発光期間は、システム制御部１２によって制御可能である。システム制御部１２は、例えば、補助光の閾値を設定しておき、補助光の発光開始時点から、その発光強度が閾値を下回る時点までの期間を上記発光期間とする。
【００３５】
内部メモリ１３は、例えばＤＲＡＭであり、デジタル信号処理部１０やシステム制御部１２のワークメモリとして利用される他、記録メディア１５に記録される画像データを一時的に記録するバッファメモリとして利用される。
【００３６】
メディアインタフェース１４は、メモリカード等の記録メディア１５との間のデータの入出力を行うものである。
【００３７】
操作部１６は、デジタルカメラ使用時の各種操作を行うものであり、撮影を行うためのレリーズボタンも含まれる。レリーズボタンには静止画撮影用のものと、動画撮影用のものとが含まれるが、１つのレリーズボタンで静止画撮影と動画撮影の両方が行えるようにしても良い。
【００３８】
以下、本発明の第一実施形態を説明するためのデジタルカメラの動作について説明する。
図２は、本発明の第一実施形態を説明するためのデジタルカメラの動作フローを示す図である。
デジタルカメラ１００は、動画撮影モードに設定されると撮像部４を起動する。そして使用者により動画撮影用のレリーズボタンが全押しされると、動画撮影を開始する（Ｓ２０１）。デジタルカメラ１００は、動画撮影中の被写体の変化に応じて露出制御やＡＦ制御を行いながら動画撮影を行う。動画撮影により得られる動画像データは、記録メディア１５に順次記録される。
【００３９】
撮像部４による動画撮影中に、静止画撮影モードが設定され、使用者により静止画撮影用のレリーズボタンが半押しされると（Ｓ２０２：ＹＥＳ）、撮像部５が起動し、デジタルカメラ１００は、ストロボ９による補助光の発光が必要か否かを撮像部５からの画像信号を利用して判定する。
【００４０】
補助光の発光が不要であると判定した場合（Ｓ２０３：ＮＯ）、デジタルカメラ１００は、撮像部５からの画像信号に基づいて撮像部５の露出制御を行う。その後、使用者により静止画撮影用のレリーズボタンが全押しされると、撮像部５により静止画撮影を行う（Ｓ２０７）。静止画撮影により得られる静止画像データは、記録メディア１５に上記動画像データとは別に記録される。
【００４１】
補助光の発光が必要であると判定した場合（Ｓ２０３：ＹＥＳ）、デジタルカメラ１００は、ストロボ９による補助光の発光期間中の撮像部４の露出を、補助光の発光開始直前の露出と同じになるように制御する（Ｓ２０４）。例えば、撮像部４の絞りを、補助光発光分を含めて、補助光発光直前の露光量と同じになるように制御する。更に、デジタルカメラ１００は、撮像部５からの画像信号に基づいて撮像部５の露出制御を行う。その後、使用者により静止画用のレリーズボタンが全押しされると、デジタルカメラ１００は、撮像部５により静止画撮影を行うと共に、ストロボ９により補助光の発光を行う（Ｓ２０５）。静止画撮影が終了すると、デジタルカメラ１００は、再び被写体の変化に応じて露出制御を行いながら動画撮影を継続する。撮像部４による動画撮影が続けて行われる場合（Ｓ２０６：ＹＥＳ）はＳ２０１に処理を移行し、撮像部４による動画撮影が終了された場合（Ｓ２０６：ＮＯ）は処理を終了する。
【００４２】
以上のように本実施形態のデジタルカメラによれば、動画撮影と並行して静止画撮影を行い、その静止画撮影時に補助光の発光を行う場合、補助光の発光期間中の撮像部４の露出が、補助光の発光開始直前の露出となるように制御するため、動画撮影により得られる動画像データに基づく動画は補助光の影響を考慮した最適な動画とすることができ、静止画撮影により得られる静止画像データに基づく静止画は、補助光により最適な静止画とすることができる。
【００４３】
（第二実施形態）
図３は、本発明の第二実施形態を説明するためのデジタルカメラの概略構成を示す図である。図１と同様の構成には同一符号を付して説明する。
デジタルカメラ２００は、撮像部１７と、アナログ信号処理部６と、Ａ／Ｄ変換部７と、駆動部８と、ストロボ９と、デジタル信号処理部１０と、圧縮／伸張処理部１１と、システム制御部２２と、内部メモリ１３と、メディアインタフェース１４と、記録メディア１５と、操作部１６とを備える。デジタル信号処理部１０、圧縮／伸張処理部１１、システム制御部２２、内部メモリ１３、及びメディアインタフェース１４は、システムバス２０に接続されている。
【００４４】
撮像部１７は、撮影レンズ等の光学系及びＣＣＤイメージセンサ等の撮像素子によって被写体の撮影を行うものであり、アナログの撮像信号をアナログ信号処理部６に出力する。撮像素子として利用されるＣＣＤイメージセンサ等の固体撮像素子は、レリーズボタンの押下操作を契機として、所定のタイミングで、駆動部８に含まれるタイミングジェネレータからの駆動信号によって駆動される。
【００４５】
システム制御部２２は、所定のプログラムによって動作するプロセッサを主体に構成され、撮影動作を含むデジタルカメラ２００全体の制御を行う。
【００４６】
システム制御部２２は、撮像部１７による動画撮影中に、ストロボ９に対して補助光を発光させる制御を行った場合、その動画撮影により得られて内部メモリ１３に保持される複数の静止画像データのうち、その補助光の発光期間中の静止画像データを、その補助光の発光開始直前及び発光終了直後の少なくとも一方の動画撮影により得られた静止画像データを用いて生成された置換画像データで置換する。この置換画像データはシステム制御部２２によって生成される。
【００４７】
ストロボ９による補助光の発光期間とは、補助光の発光が開始されてから、その補助光の発光強度が撮像部１７による動画撮影で得られる画像データに影響を及ぼさない程度の発光強度になるまでの期間のことを示す。この発光期間は、システム制御部２２によって制御可能である。システム制御部２２は、例えば、補助光の閾値を設定しておき、補助光の発光開始時点から、その発光強度が閾値を下回る時点（発光終了時点）までの期間を上記発光期間とする。
【００４８】
置換画像データとは、補助光の発光開始直前及び発光終了直後の少なくとも一方の動画撮影により得られた静止画像データの複製や、補助光の発光開始直前の動画撮影により得られた静止画像データと、補助光の発光終了直後の動画撮影により得られた静止画像データとの２つの静止画像データの補間画像データのことである。補間画像データは、システム制御部２２が、上記２つの静止画像データから動き検出を行うこと等で生成する。
【００４９】
システム制御部２２は、撮像部１７による動画撮影中にストロボ９に対して補助光を発光させる制御を行った場合、その補助光の発光期間中の動画撮影により得られた静止画像データと、上記置換後の複数の静止画像データとを記録メディア１５に別々に記録させる制御を行う。
【００５０】
以下、本発明の第二実施形態を説明するためのデジタルカメラの動作について説明する。
図４は、本発明の第二実施形態を説明するためのデジタルカメラの動作フローを示す図である。
デジタルカメラ２００は、動画撮影モードに設定されると撮像部１７を起動する。そして使用者によりレリーズボタンが全押しされると、動画撮影を開始する（Ｓ４０１）。デジタルカメラ２００は、動画撮影中の被写体の変化に応じて露出制御やＡＦ制御を行いながら動画撮影を行う。動画撮影により得られる複数の静止画像データは、内部メモリ１３に順次保持される。
【００５１】
動画撮影中、使用者により操作部１６が操作され、静止画撮影指示が行われた場合（Ｓ４０２：ＹＥＳ）、デジタルカメラ２００は、その時点でストロボ９による補助光の発光が必要か否かを、撮像部１７からの画像信号に基づいて判定する（Ｓ４０３）。
【００５２】
静止画撮影指示が行われなかった場合（Ｓ４０２：ＮＯ）、デジタルカメラ２００は、内部メモリ１３に保持される複数の静止画像データを順次圧縮し、圧縮した静止画像データを動画ファイルとして記録メディア１５に順次記録していく（Ｓ４０７）。
【００５３】
上記補助光の発光が不要であると判定した場合（Ｓ４０３：ＮＯ）、デジタルカメラ２００は、ストロボ９による補助光の発光を行わずに動画撮影を継続する（Ｓ４０８）。  このように、動画撮影中に静止画撮影指示が行われ、且つ、ストロボ９による補助光の発光が行われなかった場合、デジタルカメラ２００は、内部メモリ１３に保持される複数の静止画像データを順次圧縮し、圧縮した静止画像データを動画ファイルとして記録メディア１５に順次記録していくと共に、上記複数の静止画像データのうち静止画撮影指示が行われた時点での静止画像データの複製を生成し、その複製を圧縮し、圧縮した静止画像データを静止画ファイルとして記録メディア１５に記録する（Ｓ４０９）。デジタルカメラ２００は、この動作を動画撮影の終了指示が行われるまで行う。これにより、記録メディア１５には、動画撮影により得られた動画ファイルと、静止画撮影指示により得られた静止画ファイルとが別々に記録されることになる。
【００５４】
上記補助光の発光が必要であると判定した場合（Ｓ４０３：ＹＥＳ）、デジタルカメラ２００は、ストロボ９による補助光の発光を行う（Ｓ４０４）。このように、動画撮影中にストロボ９による補助光の発光が行われた場合、デジタルカメラ２００は、置換画像データを生成し、内部メモリ１３に保持される複数の静止画像データのうち、補助光の発光期間中の静止画像データを、上記生成した置換画像データで置換する（Ｓ４０５）。そして、上記置換後の複数の静止画像データを順次圧縮し、圧縮した静止画像データを動画ファイルとして順次記録メディア１５に記録していくと共に、補助光の発光期間中の静止画像データを圧縮し、圧縮した静止画像データを静止画ファイルとして記録メディア１５に記録する（Ｓ４０６）。デジタルカメラ２００は、この動作を動画撮影の終了指示が行われるまで行う。
【００５５】
内部メモリ１３に保持されている複数の静止画像データをその撮影された順にＡ，Ｂ，Ｃ，Ｄ，Ｅ，Ｆ，Ｇとすると、上記置換の方法には、例えば以下の（１）〜（３）のようなものがあげられる。
（１）補助光の発光期間中の静止画像データがＤであった場合、デジタルカメラ２００は、置換画像データとしてＣ又はＥの複製を生成し、Ｄを、Ｃ又はＥの複製で置換する。
（２）補助光の発光期間中の静止画像データがＤであった場合、デジタルカメラ２００は、置換画像データとしてＣとＥの間を補間する補間画像データをＣ及びＥを用いて生成し、Ｄを、上記生成した補間画像データで置換する。
（３）補助光の発光期間中の静止画像データがＣとＤの２つであった場合、デジタルカメラ２００は、置換画像データとして、Ｃの直前に撮影して得られたＢの複製と、Ｄの直後に撮影して得られたＥの複製とを生成し、ＣをＢの複製で置換し、ＤをＥの複製で置換する。
【００５６】
以上のようにデジタルカメラ２００によれば、動画撮影中に、ストロボ９により補助光の発光が行われた場合には、補助光の発光期間中の静止画像データを、上記（１）から（３）のいずれかの方法で置換画像データに置換し、置換後の複数の静止画像データを動画ファイルとして記録メディア１５に記録し、補助光の発光期間中の静止画像データを静止画ファイルとして記録メディア１５に記録する。
【００５７】
上記（１）の方法で置換を行った場合、記録メディア１５に記録される動画ファイルを再生すると、例えば、Ａ，Ｂ，Ｃ，Ｃ，Ｅ，Ｆ，Ｇに基づく動画が表示されることになる。又、記録メディア１５に記録される静止画ファイルを再生すると、Ｄに基づく静止画が表示されることになる。上記動画は、Ｃに基づく画像が連続して２回表示されるため、多少違和感のあるものとなるが、Ａ，Ｂ，Ｃ，Ｄ，Ｅ，Ｆ，Ｇに基づく動画に比べ、補助光により画質変化が生じたＤに基づく静止画がＣに基づく静止画に置換されているため、その違和感を少ないものとすることができる。又、Ｄに基づく静止画は、ストロボ９による補助光の発光期間中に撮影して得られたものであるため、補助光により最適な画質とすることができる。
【００５８】
上記（２）の方法で置換を行った場合、記録メディア１５に記録される動画ファイルを再生すると、Ａ，Ｂ，Ｃ，ＣとＥの補間画像データ，Ｅ，Ｆ，Ｇに基づく動画が表示されることになる。このため、（１）の方法で置換を行った場合よりも動画をより自然なものとすることができる。
【００５９】
上記（３）の方法で置換を行った場合、記録メディア１５に記録される動画ファイルを再生すると、Ａ，Ｂ，Ｂ，Ｅ，Ｅ，Ｆ，Ｇに基づく動画が表示されることになる。又、記録メディア１５に記録される静止画ファイルを再生すると、ＣとＤに基づく静止画が表示されることになる。上記動画は、Ｂに基づく画像及びＥに基づく画像が連続して２回表示されるため、多少違和感のあるものとなるが、例えば、Ｃ及びＤを共にＢの複製で置換する場合に比べ、その違和感を少ないものとすることができる。又、Ｃ及びＤに基づく静止画は、ストロボ９による補助光の発光期間中に撮影して得られたものであるため、補助光により最適な画質とすることができる。
【００６０】
尚、本実施形態において、撮像部１７による動画撮影中に、ストロボ９に補助光を発光させる制御をシステム制御部２２が行う場合に、システム制御部２２が、その補助光の発光タイミングに同期したタイミングで撮像部１７により行われる露光の終了時から次の露光開始時までの間に、その補助光の発光を強制的に終了させる制御をストロボ９に対して行うようにしても良い。この場合の説明図を図５に示す。
【００６１】
図５は、補助光の発光を強制的に終了させる場合の説明図である。
図５に示すように、デジタルカメラ２００では、撮像部１７による露光とほぼ同時にストロボ９による補助光の発光が開始される。ストロボ９で発光される補助光は、その発光強度がピークを迎えてから、動画撮影に影響を及ぼさない程度の発光強度になるまで（上記閾値を下回るまで）に多少の時間がかかってしまう。システム制御部２２が、補助光の発光を強制的に終了させる制御を行わない場合、撮像部１７による画像データの読み出し間隔が非常に短いと、補助光の発光強度が動画撮影に影響を及ぼさない程度の発光強度になるまでに、撮像部１７により次の露光が開始されてしまう。このため、上述した「補助光の発光期間中の静止画像データ」が複数になってしまい、記録メディア１５に記録される動画ファイルに基づく動画が不自然なものとなってしまう。
【００６２】
そこで、図５の点線で示した時点（補助光の発光タイミングに同期したタイミングで撮像部１７により行われる露光の終了時から次の露光開始時までの間）で、補助光の発光強度を閾値以下となるように制御することで、補助光の発光期間中の静止画像データを必ず１つとすることができる。したがって、システム制御部２２により置換されて記録メディア１５に記録される動画ファイルに基づく動画を、常に自然な動画とすることができる。
【００６３】
（第三実施形態）
本発明の第三実施形態を説明するためのデジタルカメラの構成は、図３に示したデジタルカメラ２００のシステム制御部２２をシステム制御部３２に変更しただけであるため、このシステム制御部３２についてのみ説明する。
【００６４】
システム制御部３２は、所定のプログラムによって動作するプロセッサを主体に構成され、撮影動作を含むデジタルカメラ３００全体の制御を行う。
【００６５】
システム制御部３２は、撮像部１７による動画撮影中にストロボ９に対して補助光を発光させる制御を行った場合、その動画撮影により得られた複数の静止画像データを動画ファイルとして記録メディア１５に記録させた後、その動画ファイルの中から、その補助光の発光期間中の静止画像データを検索する。システム制御部３２は、上記検索した静止画像データを、動画ファイルに含まれる上記補助光の発行開始直前及び発光開始直後の少なくとも一方の動画撮影により得られた静止画像データを用いて生成される置換画像データで置換すると共に、上記検索した静止画像データを、上記置換後の動画ファイルとは別にして記録メディア１５に記録させる。
【００６６】
ストロボ９による補助光の発光期間とは、補助光の発光が開始されてから、その補助光の発光強度が撮像部１７による動画撮影で得られる画像データに影響を及ぼさない程度の発光強度になるまでの期間のことを示す。この発光期間は、システム制御部３２によって制御可能である。システム制御部３２は、例えば、補助光の閾値を設定しておき、補助光の発光開始時点から、その発光強度が閾値を下回る時点（発光終了時点）までの期間を上記発光期間とする。
【００６７】
置換画像データとは、補助光の発光開始直前及び発光終了直後の少なくとも一方の動画撮影により得られた静止画像データの複製や、補助光の発光開始直前の動画撮影により得られた静止画像データと、補助光の発光終了直後の動画撮影により得られた静止画像データとの２つの静止画像データの補間画像データのことである。補間画像データは、システム制御部３２が、上記２つの静止画像データから動き検出を行うこと等で生成する。
【００６８】
以下、本発明の第三実施形態を説明するためのデジタルカメラの動作について説明する。
図６は、本発明の第三実施形態を説明するためのデジタルカメラの動作フローを示す図である。
デジタルカメラ３００は、動画撮影モードに設定されると撮像部１７を起動する。そして使用者によりレリーズボタンが全押しされると、動画撮影を開始する（Ｓ６０１）。デジタルカメラ３００は、動画撮影中の被写体の変化に応じて露出制御やＡＦ制御を行いながら動画撮影を行う。動画撮影により得られる複数の静止画像データは、順次圧縮処理された後、記録メディア１５に動画ファイルとして順次記録されていく。
【００６９】
動画撮影中、使用者により操作部１６が操作され、静止画撮影指示が行われた場合（Ｓ６０２：ＹＥＳ）、デジタルカメラ３００は、その時点でストロボ９による補助光の発光が必要か否かを、撮像部１７からの画像信号に基づいて判定する（Ｓ６０３）。
【００７０】
静止画撮影指示が行われず（Ｓ６０２：ＮＯ）、動画撮影が終了すると、デジタルカメラ３００は、動画撮影により得られた全ての静止画像データを動画ファイルとして記録メディア１５に記録した後（Ｓ６０８）、処理を終了する。
【００７１】
上記補助光の発光が不要であると判定した場合（Ｓ６０３：ＮＯ）、デジタルカメラ３００は、ストロボ９による補助光の発光を行わずに動画撮影を継続する（Ｓ６０９）。  その後、動画撮影が終了すると、動画撮影により得られた全ての静止画像データが動画ファイルとして記録メディア１５に記録される（Ｓ６１０）。ここでは、動画撮影中にストロボ９による補助光の発光を行わなかったため、デジタルカメラ３００は、記録メディア１５に記録した動画ファイルの中から、静止画撮影指示時点で撮影して得られた静止画像データを検索し、検索した静止画像データの複製を生成する。そして、生成した複製を圧縮し、圧縮した静止画像データを静止画ファイルとして記録メディア１５に記録する（Ｓ６１１）。上記検索は、静止画撮影指示時点で撮影して得られた静止画像データをシステム制御部３２が記憶しておくことで簡単に行うことができる。
【００７２】
上記補助光の発光が必要であると判定した場合（Ｓ６０３：ＹＥＳ）、デジタルカメラ３００は、ストロボ９による補助光の発光を行い（Ｓ６０４）、動画撮影を継続する。その後、動画撮影が終了すると、動画撮影により得られた全ての静止画像データが動画ファイルとして記録メディア１５に記録される（Ｓ６０５）。ここでは、動画撮影中にストロボ９による補助光の発光を行っていたため、デジタルカメラ３００は、記録メディア１５に記録した動画ファイルの中から、その補助光の発光期間中の静止画像データを検索する（Ｓ６０６）。この検索は、例えば、補助光の発光期間中に撮影して得られた静止画像データをシステム制御部３２が記憶しておくことで簡単に行うことができる。検索後、デジタルカメラ３００は、置換画像データを生成し、検索した静止画像データをこの置換画像データで置換すると共に、検索した静止画像データを圧縮し、圧縮した静止画像データを静止画ファイルとして記録メディア１５に記録する（Ｓ６０７）。
【００７３】
記録メディア１５に記録された動画ファイルに含まれる複数の静止画像データを、その撮影された順にＡ，Ｂ，Ｃ，Ｄ，Ｅ，Ｆ，Ｇとすると、上記置換の方法には、例えば以下の（１）〜（３）のようなものがあげられる。
（１）補助光の発光期間中の静止画像データがＤであった場合、デジタルカメラ３００は、置換画像データとしてＣ又はＥの複製を生成し、Ｄを、Ｃ又はＥの複製で置換する。
（２）補助光の発光期間中の静止画像データがＤであった場合、デジタルカメラ３００は、置換画像データとしてＣとＥの間を補間する補間画像データをＣ及びＥを用いて生成し、Ｄを、上記生成した補間画像データで置換する。
（３）補助光の発光期間中の静止画像データがＣとＤの２つであった場合、デジタルカメラ３００は、置換画像データとして、Ｃの直前に撮影して得られたＢの複製と、Ｄの直後に撮影して得られたＥの複製とを生成し、ＣをＢの複製で置換し、ＤをＥの複製で置換する。
【００７４】
以上のようにデジタルカメラ３００によれば、動画撮影中に、ストロボ９により補助光の発光が行われた場合には、その動画撮影により得られて記録メディア１５に記録された動画ファイルに含まれる静止画像データのうち、補助光の発光期間中の静止画像データを、上記（１）から（３）のいずれかの方法で置換画像データに置換する。又、補助光の発光期間中の静止画像データを静止画ファイルとして記録メディア１５に記録する。
【００７５】
上記（１）の方法で置換を行った場合、記録メディア１５に記録される動画ファイルを再生すると、例えば、Ａ，Ｂ，Ｃ，Ｃ，Ｅ，Ｆ，Ｇに基づく動画が表示されることになる。又、記録メディア１５に記録される静止画ファイルを再生すると、Ｄに基づく静止画が表示されることになる。上記動画は、Ｃに基づく画像が連続して２回表示されるため、多少違和感のあるものとなるが、Ａ，Ｂ，Ｃ，Ｄ，Ｅ，Ｆ，Ｇに基づく動画に比べ、補助光により画質変化が生じたＤに基づく静止画がＣに基づく静止画に置換されているため、その違和感を少ないものとすることができる。又、Ｄに基づく静止画は、ストロボ９による補助光の発光期間中に撮影して得られたものであるため、補助光により最適な画質とすることができる。
【００７６】
上記（２）の方法で置換を行った場合、記録メディア１５に記録される動画ファイルを再生すると、Ａ，Ｂ，Ｃ，Ｃ及びＥの補間画像データ，Ｅ，Ｆ，Ｇに基づく動画が表示されることになる。このため、（１）の方法で置換を行った場合よりも動画をより自然なものとすることができる。
【００７７】
上記（３）の方法で置換を行った場合、記録メディア１５に記録される動画ファイルを再生すると、Ａ，Ｂ，Ｂ，Ｅ，Ｅ，Ｆ，Ｇに基づく動画が表示されることになる。又、記録メディア１５に記録される静止画ファイルを再生すると、ＣとＤに基づく静止画が表示されることになる。上記動画は、Ｂに基づく画像及びＥに基づく画像が連続して２回表示されるため、多少違和感のあるものとなるが、例えば、Ｃ及びＤを共にＢの複製で置換する場合に比べ、その違和感を少ないものとすることができる。又、Ｃ及びＤに基づく静止画は、ストロボ９による補助光の発光期間中に撮影して得られたものであるため、補助光により最適な画質とすることができる。
【００７８】
尚、本実施形態においても、図５に示したように、撮像部１７による動画撮影中に、ストロボ９に補助光を発光させる制御をシステム制御部３２が行う場合に、システム制御部３２が、その補助光の発光タイミングに同期したタイミングで撮像部１７により行われる露光の終了時から次の露光開始時までの間に、その補助光の発光を強制的に終了させる制御をストロボ９に対して行うようにしても良い。
【図面の簡単な説明】
【００７９】
【図１】本発明の第一実施形態を説明するためのデジタルカメラの概略構成を示す図
【図２】本発明の第一実施形態を説明するためのデジタルカメラの動作フローを示す図
【図３】本発明の第二実施形態を説明するためのデジタルカメラの概略構成を示す図
【図４】本発明の第二実施形態を説明するためのデジタルカメラの動作フローを示す図
【図５】補助光の発光を強制的に終了させる場合の説明図
【図６】本発明の第三実施形態を説明するためのデジタルカメラの動作フローを示す図
【符号の説明】
【００８０】
１００  デジタルカメラ
１  撮影レンズ
２  ハーフミラー
３  ミラー
４、５  撮像部
６  アナログ信号処理部
７  Ａ／Ｄ変換部
８  駆動部
９  ストロボ
１０  デジタル信号処理部
１１  圧縮／伸張処理部
１２  システム制御部
１３  内部メモリ
１４  メディアインタフェース
１５  記録メディア
１６  操作部
【図１】
2005268855.tif 000003
【図２】
2005268855.tif 000004
【図３】
2005268855.tif 000005
【図４】
2005268855.tif 000006
【図５】
2005268855.tif 000007
【図６】
2005268855.tif 000008